(57)【要約】      （修正有）【課題】伝送効率を保ちつつ誤同期の発生を抑えることが可能な通信システム、送信装置、受信装置及び通信方法を提供する。【解決手段】送信装置１１は、所定のワードビット列からなる第１の同期ワード及び第１の同期ワードを反転した反転同期ワードを、重複を許してｎ個（ｎ：２以上の整数）配列して構成される同期フレームＳＦを生成する同期フレーム生成部と、データフレーム列生成部が生成したデータフレーム列の先頭部分に同期フレームを付加する通信フレーム生成部と、通信フレームＣＦをネットワークを介して送信する送信部と、を含む。受信装置１２は、通信フレームを受信し、受信フレームの同期フレームに含まれる第１の同期ワード及び反転同期ワードの配列パターンを検出して、第１の同期検出を行う第１同期検出部３２と、第１の同期検出に応じて受信フレームのデータフレームに含まれるデータを再生し、受信データを得るデータ再生部と、を含む。【選択図】図１
2017060100.tif 000002
【特許請求の範囲】
【請求項１】
情報データに基づいてデータフレームの系列からなるデータフレーム列を生成するデータフレーム列生成部と、
所定のワードビット列からなる第１の同期ワード及び前記第１の同期ワードを反転したワードビット列からなる反転同期ワードを、重複を許してｎ個（ｎ：２以上の整数）配列して構成される同期フレームを生成する同期フレーム生成部と、
前記データフレーム列の先頭部分に前記同期フレームを付加して通信フレームを生成する通信フレーム生成部と、
前記通信フレームをネットワークを介して送信する送信部と、
を含む送信装置と、
前記ネットワークを介して前記通信フレームを受信し、受信フレームを得る受信部と、
前記受信フレームの前記同期フレームに含まれる前記第１の同期ワード及び前記反転同期ワードの配列パターンを検出して、第１の同期検出を行う第１同期検出部と、
前記第１の同期検出に応じて前記受信フレームの前記データフレームに含まれるデータを再生し、受信データを得るデータ再生部と、
を含む受信装置と、
を含むことを特徴とする通信システム。
【請求項２】
前記送信装置の前記データフレーム列生成部は、前記情報データの所定のデータ長毎に第２の同期ワードを挿入しつつ前記データフレーム列を生成し、
前記受信装置は、前記受信フレームにおける前記データフレームの先頭部分を含みフレーム長よりも短い同期検出区間において、前記データフレームに含まれる前記第２の同期ワードを検出して第２の同期検出を行う第２同期検出部をさらに含み、
前記受信装置の前記データ再生部は、前記第１の同期検出及び前記第２の同期検出に応じて前記受信フレームの前記データフレームに含まれるデータを再生し、前記受信データを得ることを特徴とする請求項１に記載の通信システム。
【請求項３】
前記ネットワークには、夫々異なる起動識別情報が設定された複数の前記受信装置が接続され、
前記起動識別情報は、前記第１の同期ワード及び前記反転同期ワードを、重複を許してｎ個（ｎ：２以上の整数）配列して構成され、
前記送信装置は、前記同期フレームを起動信号として当該複数の受信装置に送信し、
前記受信装置の各々は、受信した前記起動信号に含まれる前記第１の同期ワード及び前記反転同期ワードの配列パターンが前記起動識別情報の配列パターンと一致する場合に起動を行うことを特徴とする請求項１又は２に記載の通信システム。
【請求項４】
情報データに基づいてデータフレームの系列からなるデータフレーム列を生成するデータフレーム列生成部と、
所定のワードビット列からなる第１の同期ワード及び前記第１の同期ワードを反転したワードビット列からなる反転同期ワードを、重複を許してｎ個（ｎ：２以上の整数）配列して構成される同期フレームを生成する同期フレーム生成部と、
前記データフレーム列の先頭部分に前記同期フレームを付加して通信フレームを生成する通信フレーム生成部と、
前記通信フレームをネットワークを介して送信する送信部と、
を含むことを特徴とする送信装置。
【請求項５】
前記データフレーム列生成部は、前記情報データの所定のデータ長毎に第２の同期ワードを挿入しつつ前記データフレーム列を生成することを特徴とする請求項４に記載の送信装置。
【請求項６】
ネットワークを介して通信フレームを受信し、受信フレームを得る受信部と、
前記受信フレームの同期フレームから、所定のワードビット列からなる第１の同期ワード及び前記第１の同期ワードを反転したワードビット列からなる反転同期ワードを、重複を許してｎ個（ｎ：２以上の整数）配列して構成される配列パターンを検出して、第１の同期検出を行う第１同期検出部と、
前記第１の同期検出に応じて前記受信フレームのデータフレームに含まれるデータを再生し、受信データを得るデータ再生部と、
を含むことを特徴とする受信装置
【請求項７】
前記受信フレームにおける前記データフレームの先頭部分を含みフレーム長よりも短い同期検出区間において、前記データフレームに含まれる第２の同期ワードを検出して第２の同期検出を行う第２同期検出部をさらに含み、
前記データ再生部は、前記第１の同期検出及び前記第２の同期検出に応じて前記受信フレームの前記データフレームに含まれるデータを再生し、前記受信データを得ることを特徴とする請求項６に記載の受信装置。
【請求項８】
ネットワークを介して送信装置と受信装置との間で通信フレームの送受信を行う通信方法であって、
前記送信装置において、情報データに基づいてデータフレームの系列からなるデータフレーム列を生成するデータフレーム列生成ステップと、
所定のワードビット列からなる第１の同期ワード及び前記第１の同期ワードを反転したワードビット列からなる反転同期ワードを、重複を許してｎ個（ｎ：２以上の整数）配列して構成される同期フレームを生成する同期フレーム生成ステップと、
前記データフレーム列の先頭部分に前記同期フレームを付加して通信フレームを生成する通信フレーム生成ステップと、
前記通信フレームをネットワークを介して送信する送信ステップと、
前記受信装置において、前記ネットワークを介して前記通信フレームを受信し、受信フレームを得る受信ステップと、
前記受信フレームの前記同期フレームに含まれる前記第１の同期ワード及び前記反転同期ワードの配列パターンを検出して、第１の同期検出を行う第１同期検出ステップと、
前記第１の同期検出に応じて前記受信フレームの前記データフレームに含まれるデータを再生し、受信データを得るデータ再生ステップと、
を含むことを特徴とする通信方法。
【請求項９】
前記データフレーム列生成ステップは、前記情報データの所定のデータ長毎に第２の同期ワードを挿入しつつ前記データフレーム列を生成する同期ワード挿入ステップを含み、
前記第１同期検出ステップは、前記受信フレームにおける前記データフレームの先頭部分を含みフレーム長よりも短い同期検出区間において、前記データフレームに含まれる前記第２の同期ワードを検出して第２の同期検出を行う第２同期検出ステップを含み、
前記データ再生ステップは、前記第１の同期検出及び前記第２の同期検出に応じて前記受信フレームの前記データフレームに含まれるデータを再生し、前記受信データを得るステップを含むことを特徴とする請求項８に記載の通信方法。
【発明の詳細な説明】
【技術分野】
【０００１】
本発明は、通信システム、送信装置、受信装置及び通信方法に関する。
【背景技術】
【０００２】
有線通信や無線通信等の通信システムにおいて、情報データを通信フレームの形式で送受信することが行われている。通信フレームは、例えば同期ワード、制御情報及びペイロードから構成されている（例えば、特許文献１）。かかる通信フレームを用いた通信では、受信側の通信装置において同期ワードを検出し、送信側の通信装置と受信側の通信装置との間で同期を取りつつ通信フレームの送受信を行う（例えば、特許文献２）。
【先行技術文献】
【特許文献】
【０００３】
【特許文献１】特開２０１０−２００１２２号公報
【特許文献２】特開２０１０−１１４９２１号公報
【発明の概要】
【発明が解決しようとする課題】
【０００４】
上記のような構成を有する通信フレームにおいて、ペイロードの部分に同期ワードと一致するビット列が存在する場合がある。このような場合、受信側の装置における同期ワードの検出に誤りが生じ、誤同期が発生する虞がある。誤同期が発生すると、不要な通信が発生して通信状態が不安定になる。また、誤同期により不要な通信が発生すると、電力を無駄に消費してしまうという問題があった。
【０００５】
このような誤同期を防ぐため、同期ワードがフレーム毎に周期的に受信されることを利用して、周期的に同期検出を行うことによって誤同期を防ぐことが考えられる。しかし、かかる方法を用いる場合、安定した同期を得ようとするほど多くのフレームを受信する必要があり、同期を確立するまでの時間が長くなってしまうという問題があった。
【０００６】
また、同期ワードを長くすればするほど同期ワードと同じビット列がペイロードに発生する確率は低くなることから、誤同期を防ぐために長い同期ワードを用いることが考えられる。しかし、同期ワードを長くすると、その分、通信フレームにおけるペイロードの割合が小さくなるため、情報データの伝送効率が落ちてしまうという問題があった。
【０００７】
上記課題を解決するため、本発明は、伝送効率を保ちつつ誤同期の発生を抑えることが可能な通信システム、送信装置、受信装置及び通信方法を提供することを目的とする。
【課題を解決するための手段】
【０００８】
本発明に係る通信システムは、情報データに基づいてデータフレームの系列からなるデータフレーム列を生成するデータフレーム列生成部と、所定のワードビット列からなる第１の同期ワード及び前記第１の同期ワードを反転したワードビット列からなる反転同期ワードを、重複を許してｎ個（ｎ：２以上の整数）配列して構成される同期フレームを生成する同期フレーム生成部と、前記データフレーム列の先頭部分に前記同期フレームを付加して通信フレームを生成する通信フレーム生成部と、前記通信フレームをネットワークを介して送信する送信部と、を含む送信装置と、前記ネットワークを介して前記通信フレームを受信し、受信フレームを得る受信部と、前記受信フレームの前記同期フレームに含まれる前記第１の同期ワード及び前記反転同期ワードの配列パターンを検出して、第１の同期検出を行う第１同期検出部と、前記第１の同期検出に応じて前記受信フレームの前記データフレームに含まれるデータを再生し、受信データを得るデータ再生部と、を含む受信装置と、を含むことを特徴とする。
【０００９】
また、本発明に係る送信装置は、情報データに基づいてデータフレームの系列からなるデータフレーム列を生成するデータフレーム列生成部と、所定のワードビット列からなる第１の同期ワード及び前記第１の同期ワードを反転したワードビット列からなる反転同期ワードを、重複を許してｎ個（ｎ：２以上の整数）配列して構成される同期フレームを生成する同期フレーム生成部と、前記データフレーム列の先頭部分に前記同期フレームを付加して通信フレームを生成する通信フレーム生成部と、前記通信フレームをネットワークを介して送信する送信部と、を含むことを特徴とする。
【００１０】
また、本発明に係る受信装置は、ネットワークを介して通信フレームを受信し、受信フレームを得る受信部と、前記受信フレームの同期フレームから、所定のワードビット列からなる第１の同期ワード及び前記第１の同期ワードを反転したワードビット列からなる反転同期ワードを、重複を許してｎ個（ｎ：２以上の整数）配列して構成される配列パターンを検出して、第１の同期検出を行う第１同期検出部と、前記第１の同期検出に応じて前記受信フレームのデータフレームに含まれるデータを再生し、受信データを得るデータ再生部と、を含むことを特徴とする。
【００１１】
また、本発明に係る通信方法は、ネットワークを介して送信装置と受信装置との間で通信フレームの送受信を行う通信方法であって、前記送信装置において、情報データに基づいてデータフレームの系列からなるデータフレーム列を生成するデータフレーム列生成ステップと、所定のワードビット列からなる第１の同期ワード及び前記第１の同期ワードを反転したワードビット列からなる反転同期ワードを、重複を許してｎ個（ｎ：２以上の整数）配列して構成される同期フレームを生成する同期フレーム生成ステップと、前記データフレーム列の先頭部分に前記同期フレームを付加して通信フレームを生成する通信フレーム生成ステップと、前記通信フレームをネットワークを介して送信する送信ステップと、前記受信装置において、前記ネットワークを介して前記通信フレームを受信し、受信フレームを得る受信ステップと、前記受信フレームの前記同期フレームに含まれる前記第１の同期ワード及び前記反転同期ワードの配列パターンを検出して、第１の同期検出を行う第１同期検出ステップと、前記第１の同期検出に応じて前記受信フレームの前記データフレームに含まれるデータを再生し、受信データを得るデータ再生ステップと、を含むことを特徴とする。
【発明の効果】
【００１２】
本発明によれば、伝送効率を保ちつつ誤同期の発生を抑えることが可能となる。
【図面の簡単な説明】
【００１３】
【図１】本発明の通信システム１０の構成を示すブロック図である。
【図２】本発明における通信フレームの構成を示す図である。
【図３】本発明の通信システムにおける同期検出を模式的に示す図である。
【図４】本発明における同期フレームを用いた起動システムの例を示す図である。
【発明を実施するための形態】
【００１４】
以下、本発明の実施例を図面を参照しつつ詳細に説明する。
【実施例１】
【００１５】
図１は、本発明の通信システム１０の構成を示すブロック図である。通信システム１０は、送信側の通信装置である送信装置１１と、送信装置１１にネットワークＮＷを介して接続された受信側の通信装置である受信装置１２と、から構成される。送信装置１１及び受信装置１２は、ネットワークＮＷを介して通信フレームの送受信を行う。
【００１６】
図２は、本発明の通信システム１０において送受信される通信フレームＣＦの構成を示す図である。通信フレームＣＦは、同期フレームＳＦと、データフレームＤＦの系列からなるデータフレーム列と、から構成される。
【００１７】
同期フレームＳＦは、所定のワードビット列からなる同期ワードＡ（第１の同期ワード）と、同期ワードＡを反転させたワードビット列からなる反転同期ワード（図中、「Ａ」に上線を付して示す）とを、重複を許して５個を配列してなる同期ワードの順列から構成される。図２は、同期フレームＳＦが、例えば「同期ワードＡ、反転同期ワード、同期ワードＡ、同期ワードＡ、反転同期ワード」の順列からなる場合の例を示すものである。
【００１８】
データフレームＤＦは、フレーム長ＦＬを有し、同期ワードＢ（第２の同期ワード）と、通信フレームの送受信における宛先や経路等を含む制御情報と、情報データ本体をなすペイロードと、から構成される。同期ワードＢは、同期フレームＳＦに続いて複数のデータフレームＤＦが連続する場合にも同期を継続する必要があることから、受信装置１２において周期的に同期検出を行うために各データフレームＤＦの先頭部分に挿入されている。また、制御情報は各データフレームＤＦの同期ワードＢとペイロードとの間に挿入されている。すなわち、データフレーム列には、情報データの所定のデータ長（ペイロードのデータ長）毎に同期ワードＢ及び制御情報が挿入されている。
【００１９】
再び図１を参照すると、送信装置１１は、データフレーム列生成部２１、同期フレーム生成部２２、通信フレーム生成部２３及び送信部２４を含む。
【００２０】
データフレーム列生成部２１は、情報データをフレーム化して、データフレームＤＦの系列からなるデータフレーム列を生成する。データフレーム列生成部２１は、情報データを所定のデータ長の伝送データ片に切り分けてペイロードを生成する。そして、データフレーム列生成部２１は、所定長のデータ（所定のデータ長のデータ）毎に同期ワードＢを挿入し、同期ワードＢ及び所定長のデータを１データフレームＤＦとする。また、データフレーム列生成部２１は、同期ワードＢとペイロードとの間に制御情報を挿入する。情報データのデータ長が大きい場合、複数のデータフレームＤＦの系列からなるデータフレーム列が生成される。
【００２１】
同期フレーム生成部２２は、同期フレームＳＦを生成する。同期フレーム生成部２２は、例えば、通信フレームの送信先となる端末（受信装置１２等）等の宛先に応じて毎に予め定められた同期パターン（同期ワードＡ及び反転同期ワードの順列からなる配列パターン）を格納するメモリ（図示せず）を有し、その同期パターンに従って同期ワードＡ及び反転同期ワードを配列して、同期フレームＳＦを生成する。例えば、同期フレーム生成部２２は、図２に示すような「同期ワードＡ、反転同期ワード、同期ワードＡ、同期ワードＡ、反転同期ワード」の配列パターンからなる同期フレームＳＦを生成する。
【００２２】
再び図１を参照すると、通信フレーム生成部２３は、同期フレームＳＦをデータフレーム列の先頭部分（データフレームＤＦの系列のうち最初のデータフレームＤＦの先頭部分）に付加して、通信フレームＣＦを生成する。
【００２３】
送信部２４は、通信フレームＣＦをネットワークＮＷを介して受信装置１２に向けて送信する。
【００２４】
受信装置１２は、受信部３１、第１同期検出部３２、ウインドウ信号生成部３６、第２相関器３７、ＡＮＤゲート３８及びデータ再生部３９を含む。第１同期検出部３２は、第１相関器３３、同期パターン格納部３４及び比較部３５から構成される。
【００２５】
受信部３１は、ネットワークＮＷを介して通信フレームＣＦを受信する（以下、受信した通信フレームＣＦを受信フレームとも称する）。
【００２６】
第１同期検出部３２は、受信フレームの同期フレームＳＦに含まれる同期ワードＡ及び反転同期ワードの配列パターン（同期パターン）を検出して、第１の同期検出を行う。
【００２７】
かかる第１の同期検出において、第１相関器３３は、受信フレームの同期フレームＳＦに含まれる同期ワードＡ及び反転同期ワードを検出し、同期ワードＡ及び反転同期ワードとの一致、不一致を示す第１相関出力Ｃ１を生成する。
【００２８】
図３は、受信装置１２における相関出力の例を模式的に示す図である。第１相関器３３は、同期フレームＳＦを構成するワードビット列が同期ワードＡと一致する場合は「＋」（正極性）、反転同期ワードと一致する場合は「−」（負極性）の相関出力を得る。例えば、同期フレームＳＦが「同期ワードＡ、反転同期ワード、同期ワードＡ、同期ワードＡ、反転同期ワード」の順列から構成されている場合、第１相関出力Ｃ１は「＋−＋＋−」となる。
【００２９】
再び図１を参照すると、同期パターン格納部３４には、予め定められた「＋」及び「−」の順列からなる同期ワードの配列パターン（例えば、「＋−＋＋−」）が格納されている。
【００３０】
比較部３５は、第１相関器３３から出力された第１相関出力Ｃ１と、同期パターン格納部３４に格納されている同期パターンと、を比較してその一致又は不一致を判定し、判定信号ＪＳをウインドウ信号出力部３６に供給する。判定信号ＪＳは、例えば第１相関出力Ｃ１が同期パターンと一致する場合にはハイレベルを示し、一致しない場合にはローレベルを示す２値の信号である。
【００３１】
ウインドウ信号出力部３６は、比較部３５から「一致」を示す判定信号ＪＳが供給された場合、図３に示すようなウインドウ信号ＷＳを出力する。ウインドウ信号ＷＳは、図中の斜線で示す期間（ウインドウ幅ＷＤ）においてハイレベルとなり、それ以外の期間においてローレベルとなる信号である。ウインドウ幅ＷＤは、フレーム長ＦＬよりも短い。また、ウインドウ信号ＷＳがハイレベルとなる期間は、同期フレームＳＦの終端からデータフレームＤＦにおける同期ワードＢの終端までの長さ（間隔Ｘ）と、データフレームＤＦにおける同期ワードＢの終端から次のデータフレームＤＦにおける同期ワードＢの終端までの長さ（間隔Ｙ）と、に基づいて、通信フレームＣＦにおいて同期ワードＢが存在する位置を含むように予め定められている。
【００３２】
再び図１を参照すると、第２相関器３７は、通信フレームＣＦ内のワードビット列と同期ワードＢとの一致、不一致に基づいて、第２相関出力Ｃ２を生成する。
【００３３】
ＡＮＤゲート３８は、ウインドウ信号出力部３６から供給されたウインドウ信号ＷＳと、第２相関器３７から供給された第２相関出力Ｃ２との論理積を同期信号ＳＳとして出力する。したがって、ＡＮＤゲート３８は、ウインドウ信号ＷＳがハイレベルの期間で且つ同期ワードＢと一致するワードビット列が検出された場合にのみ、ハイレベルの同期信号ＳＳを出力する。
【００３４】
かかるウインドウ信号出力部３６及びＡＮＤゲート３８の動作により、第２相関器３７における同期検出（第２の同期検出）の結果は、図３に示すように、ウインドウ信号ＷＳがハイレベルである期間についてのみ、同期信号ＳＳに反映される。従って、同期ワードＢの検出は、実質的には、図３に示すようにウインドウ信号ＷＳがハイレベルである期間においてのみ行われることとなる。すなわち、第２同期検出部である第２相関器３７は、受信フレームである通信フレームＣＦにおけるデータフレームＤＦの先頭部分を含みフレーム長ＦＬよりも短い同期検出区間において、データフレームＤＦに含まれる同期ワードＢを検出して、第２の同期検出を行うものである。
【００３５】
再び図１を参照すると、データ再生部３９は、同期信号ＳＳに応じて通信フレームＣＦからデータを再生し、受信データを得る。すなわち、データ再生部３９は、第１の同期検出と第２の同期検出とに応じて、受信フレームのデータフレームＤＦに含まれるデータを再生して受信データを得る。
【００３６】
上記のように、本発明の通信システム１０において、受信装置１２は、同期フレームＳＦに含まれる同期ワードＡ及び反転同期ワードの配列パターン（周期性、正極性と負極性の発生順序）に基づいて同期検出を行う。かかる構成によれば、同期フレームＳＦを構成するワードビット列がデータフレームＤＦに偶然含まれることに起因する誤同期の発生を防止することができる。すなわち、データフレームＤＦのペイロードに同期ワードＡと同一のワードビット列が含まれる場合があるとしても、さらにそのワードビット列が同期フレームＳＦと同じ周期性を持ち且つ正極性及び負極性の発生順序まで一致する確率は極めて低いため、誤同期の発生を抑えることができるのである。
【００３７】
また、本発明の受信装置１２は、同期フレームＳＦに含まれる同期ワードＡ及び反転同期ワードの配列パターン（周期性、正極性と負極性の発生順序）に基づいて同期検出を行う。従って、誤同期を避けるために同期ワード自体を長くする必要はないため、通信フレーム中のペイロードの割合は圧迫されない。よって、伝送効率を低下させずに誤同期の発生を抑えることができる。
【００３８】
また、同期ワードＢに対する第２相関器３７の相関出力（第２の同期検出）の結果は、ウインドウ信号ＷＳがハイレベルとなる期間についてのみ、同期検出信号ＳＳに反映される。ウインドウ信号ＷＳがハイレベルとなる期間は、上記の通り、データフレームＤＦの先頭部分を含み、フレーム長ＦＬよりも短い期間である。このように、第２の同期検出の検出範囲からペイロードの部分を除外し、同期ワードＢの存在範囲付近に限定して第２の同期検出を行うことができるため、ペイロードの部分に同期ワードＢと同じワードビット列が含まれることに起因する誤同期の発生を防止することができる。従って、各データフレームＤＦのデータ長が長い場合であっても、誤同期の発生を抑えつつ安定した同期を維持することができる。
【００３９】
また、上記のように誤同期の発生を抑えること及びデータフレームＤＦにおける同期検出の範囲を限定できることにより、受信装置１２における動作電力の消費を抑えることが可能となる。
【００４０】
また、同期ワードＡ及び反転同期ワードは、同一の相関器によって検出が可能である。従って、異なる同期ワードの順列により同期フレームＳＦを構成する場合と比べて、受信装置１２の回路規模を抑えることができる。
【００４１】
また、同期ワードＡ及び反転同期ワードの配置順序（例えば、「＋−＋＋−」）についての情報は、２値情報（例えば、「１０１１０」）として伝送することができる。これにより、例えば複数の受信装置がネットワークＮＷに接続された通信環境において、同期ワードＡ及び反転同期ワードからなる配列パターンを、通信の相手方となる受信装置を起動するための起動識別情報として用いることができる。
【００４２】
図４は、かかる通信環境における起動システムの例を模式的に示す図である。例えば、ネットワークＮＷには、送信装置である第１装置Ｄ１と、受信装置である第２装置Ｄ２、第３装置Ｄ３及び第４装置Ｄ４とが接続されている。第２装置Ｄ２、第３装置Ｄ３及び第４装置Ｄ４には、夫々異なる起動識別情報が設定されている。起動識別情報は、同期フレームＳＦと同様、同期ワードＡ及び反転同期ワードを、重複を許して５個配列した配列パターンから構成されている。例えば、第２装置Ｄ２は「＋−−−＋」、第３装置Ｄ３は「＋＋−＋−」、第４装置Ｄ４は「＋＋＋−−」の配列パターンの起動識別情報を有する。
【００４３】
第１装置Ｄ１は、「＋＋−＋−」の配列パターンからなる同期フレームＳＦを起動信号として、ネットワークＮＷを介して、第２装置Ｄ２、第３装置Ｄ３及び第４装置Ｄ４に向けて送信する。第２装置Ｄ２、第３装置Ｄ３及び第４装置Ｄ４は、受信した起動信号に含まれる配列パターンが自己の起動識別情報の配列パターンと一致する場合に起動を行う。図４では、第３装置Ｄ３が、同期フレームＳＦと同じ「＋＋−＋−」の配列パターンの起動識別情報を有するため、第３装置Ｄ３のみが起動する。
【００４４】
なお、本発明は上記実施形態に限定されない。例えば、上記実施例では、同期フレームＳＦが、同期ワードＡ及び反転同期ワードを、重複を許して５個を配列して構成される例について説明した。しかし、同期フレームＳＦを構成する同期ワードの個数はこれに限られない。すなわち、同期フレームＳＦは、同期ワードＡ及び反転同期ワードを、重複を許してｎ個（ｎ：２以上の整数）して構成されるものであればよい。
【００４５】
また、上記実施例では、送信装置１１と受信装置１２とがネットワークＮＷを介して通信を行う例について説明した。このネットワークＮＷを介した通信は、電源線通信を含む有線通信であってもよく、無線通信であってもよい。例えば、無線通信の場合、送信装置１１は変調部、受信装置１２は復調部を夫々有し、ＱＰＳＫ（Quadrature Phase Shift Keying）等の変調方式により変調及び復調を施し、通信フレームの送受信を行う。
【００４６】
また、同期ワードＡ及び同期ワードＢは、互いに異なるワードビット列からなるものであっても良いし、同一のワードビット列からなるものであってもよい。ワードビット列が同一である場合、上記実施例とは異なり、受信装置１２は１つの相関器（第１相関器３３及び第２相関器３７のいずれか一方）を用いて同期フレームＳＦにおける同期検出（第１の同期検出）及びデータフレームＤＦにおける同期検出（第２の同期検出）を行うことが可能となる。
【００４７】
また、上記実施例では、同期フレームＳＦが同期ワードＡ及び反転同期ワードの順列から構成されるとしたが、これに限られず、複数の同期ワード及びそれを反転させた同期ワード（反転ワード）を組み合わせて同期フレームＳＦを構成しても良い。例えば、１つの同期ワード及びその反転ワードを５つ並べる場合、その順列の種類は３２通り（２の５乗）であるが、２つの同期ワード及びそれらの反転ワードを組み合わせた場合、順列の種類は１０２４通り（４の５乗）となる。従って、複数の同期ワード及びその反転ワードを組み合わせることにより、同期フレームＳＦとしてより多くの情報量を伝送することが可能となる。
【００４８】
また、上記実施例では、同期フレームＳＦが同期ワードＡ及び反転同期ワードを配列してなる順列のみから構成される例について説明したが、他の情報を同期フレームＳＦに含めても良い。例えば、制御情報を、データフレームＤＦではなく、同期フレームＳＦに挿入してもよい。要するに、同期フレームＳＦ中に同期ワードＡ及び反転同期ワードからなる順列が含まれていればよい。
【００４９】
また、上記実施例では、データフレームＤＦが同期ワードＢと制御情報とペイロードとから構成される例を示した。しかし、データフレームＤＦは同期ワードＢを含むものであればよく、その他の構成は上記構成例に限定されない。
【符号の説明】
【００５０】
１０  通信システム
１１  送信装置
１２  受信装置
２１  データフレーム列生成部
２２  同期フレーム生成部
２３  通信フレーム生成部
２４  送信部
３１  受信部
３２  第１同期検出部
３３  第１相関部
３４  同期パターン格納部
３５  比較部
３６  ウインドウ信号生成部
３７  第２相関部
３８  ＡＮＤゲート
３９  データ再生部
【図１】
2017060100.tif 000003
【図２】
2017060100.tif 000004
【図３】
2017060100.tif 000005
【図４】
2017060100.tif 000006